(57)【特許請求の範囲】
【請求項１】
２つの部材を向かい合せてその相互間に揮散剤の収納空間を形成する容器本体と、２つの部材を向かい合せてその相互間に容器本体の収納空間を形成するカバーとを備え、当該カバーにフックを一体に設け、
容器本体は、インジケータの収納空間を併せて形成するものであり、
フックは、カバーの上端に連結され、インジケータの収容空間が、カバーの上側で、フックの開口側と反対側の背側で隣接する位置に設けられていることを特徴とする吊り下げ式揮散剤用容器。
【請求項２】
請求項１において、容器本体とカバーとが、異材質で構成されていることを特徴とする、吊り下げ式揮散剤用容器。
【請求項３】
請求項２において、容器本体がポリエステル系樹脂で構成されていると共に、カバーがポリオレフィン系樹脂で構成されていることを特徴とする、吊り下げ式揮散剤用容器。
【請求項４】
請求項３において、容器本体がポリエチレンテレフタレートで構成されていると共に、カバーがポリプロピレン又はポリエチレンで構成されていることを特徴とする、吊り下げ式揮散剤用容器。
【請求項５】
請求項１乃至４のいずれか１項において、揮散剤が防虫剤であることを特徴とする、吊り下げ式揮散剤用容器。
【請求項６】
請求項１乃至５のいずれか１項において、カバーは、２つの部材がヒンジを介して連結されたものであることを特徴とする吊り下げ式揮散剤用容器。
【請求項７】
請求項１乃至５のいずれか１項において、容器本体は、シート状素材で形作られた中間体を重ね合わせて形成したものであることを特徴とする吊り下げ式揮散剤用容器。
【発明の詳細な説明】
【技術分野】
【０００１】
本発明は、防虫剤等の揮散剤をフックによって吊り下げ保持する吊り下げ式揮散剤用容器に関するものである。
【背景技術】
【０００２】
吊り下げ式揮散剤用容器としては、例えば、防虫剤を収納するものがあるが、防虫剤の含有成分によっては、容器本体を構成する材料に吸収されるため、有効成分が減少することが知られており、これを改善する方法としては、例えば、有効成分の吸収を阻止する材料を用いて揮散剤用容器を形成するものがある（例えば、特許文献１参照）。
【先行技術文献】
【特許文献】
【０００３】
【特許文献１】特許第３８７２１９５号明細書
【発明の概要】
【発明が解決しようとする課題】
【０００４】
一方、吊り下げ式揮散剤用容器は、ハンガーパイプ等に引っ掛ける必要があるため、フックの部分は比較的柔軟であることが好ましい。
【０００５】
しかしながら、フックを容器本体に一体に設けた場合、使用される材料が、揮散剤との関係で要求される性能（例えば、揮散剤成分に対する吸着性）と、フックの機能との関係で要求される性能（例えば、柔軟性）とが同時に実現できないものの場合に不利である。
【０００６】
本発明の目的とするところは、成分揮散に対する性能と、成分揮散に対する性能以外で求められる性能との両立が図られた、新規な吊り下げ式揮散剤用容器を提供することにある。
【課題を解決するための手段】
【０００７】
本発明は、２つの部材を向かい合せてその相互間に揮散剤の収納空間を形成する容器本体と、２つの部材を向かい合せてその相互間に容器本体の収納空間を形成するカバーとを備え、当該カバーにフックを一体に設け、容器本体は、インジケータの収納空間を併せて形成するものであり、フックは、カバーの上端に連結され、インジケータの収容空間が、カバーの上側で、フックの開口側と反対側の背側で隣接する位置に設けられていることを特徴とするものである。
【０００９】
本発明によれば、容器本体とカバーとが別体で構成されるため、互いをそれぞれ、異材質で構成することができる。この場合、容器本体をポリエステル系樹脂で構成し、カバーをポリオレフィン系樹脂で構成することができる。更に、この場合、容器本体をポリエチレンテレフタレートで構成し、カバーをポリプロピレン又はポリエチレンで構成することができる。
【００１０】
本発明に係る、揮散剤としては、例えば、防虫剤、芳香剤、消臭剤や防黴剤などが挙げられる。
【００１１】
カバーは、２つの部材がヒンジを介して連結されたものとすることができる。また、容器本体は、シート状素材で形作られた中間体を重ね合わせて形成したものとすることができる。
【発明の効果】
【００１２】
本発明は、揮散剤を収納する容器本体と、この容器本体を収納するカバーとに分け、このカバーにフックを一体に設けたことで、容器本体及びカバーに対して機能に合せた材料を選択することできる。
【００１３】
従って、本発明によれば、成分揮散に対する性能と、成分揮散に対する性能以外で求められる性能との両立が図られた、新規な吊り下げ式揮散剤用容器を提供することができる。
【図面の簡単な説明】
【００１４】
【図１】本発明である、吊り下げ式揮散剤用容器の一形態である、吊り下げ式防虫剤用容器を示す正面図である。
【図２】図１のＡ−Ａ断面図である。
【図３】同形態の展開図である。
【図４】図３のＢ−Ｂ断面図である。
【図５】同形態に係る、容器本体を構成する第１の容器本体用部材及び第２の容器本体用部材を合せ側から示す正面図である。
【図６】同形態に係る、カバーを構成する第１のカバー用部材及び第２のカバー用部材を展開させた状態を合せ側から示す正面図である。
【図７】本発明に従う、吊り下げ式防虫剤用容器の第２の形態を、図１のＡ−Ａ断面に相当する部分で示す断面図である。
【図８】同形態を展開した状態を、図３のＢ−Ｂ断面に相当する部分で示す断面図である。
【図９】同形態に係る、カバーを構成する第１のカバー用部材及び第２のカバー用部材を展開させた状態を合せ側から示す正面図である。
【図１０】同形態に係る、容器本体を構成する第１の容器本体用部材及び第２の容器本体用部材を合せ側から示す正面図である。
【発明を実施するための形態】
【００１５】
以下、図面を参照して、本発明の一形態である、吊り下げ式防虫剤用容器を詳細に説明する。
【００１６】
図１は、本発明の第１の形態である、吊り下げ式防虫剤用容器１を示し、その内部は、図２に示すように構成されている。符号２は、容器本体である。容器本体２は、その外観形状が図１に示すように横長の矩形であって、図２に示すように、第１の容器本体用部材（以下、「第１容器本体用部材」）３と第２の容器本体用部材（以下、「第２容器本体用部材」）４とを向かい合せることで形成される。
【００１７】
詳細には、第１容器本体用部材３は、図５に示すように、その外縁部がフランジ部３ａとして形作られている。フランジ部３ａで取り囲まれた内側には、同図に示すように、第２容器本体用部材４との合せ側に開口して防虫剤シートＳ1を配置する凹部３ｎ1が形成されている。凹部３ｎ1を形作る膨出壁３ｓには、凹部３ｎ1を外界に通じさせるための複数の開口部Ａ1が形成されている。
【００１８】
また、フランジ部３ａには、複数の開口部Ａ1を取り囲むように、複数の貫通孔３ｂ及び切欠き部３ｃが形成されていると共に、更に、膨出壁３ｓには、複数の突起部３ｄが一体に設けられている。
【００１９】
更に、フランジ部３ａは、図５に示すように、拡大領域部Ｘを有する。拡大領域部Ｘは、図１に示すように、防虫剤シートＳ1の効能を表示するインジケータシートＳ2の収納部９を構成する。この領域部Ｘには、図３に示すように、第２容器本体用部材４との合せ側に、枠部３ｅが一体に設けられている。枠部３ｅの内側は、図３に示すように、第２容器本体用部材４との合せ側に開口してインジケータシートＳ2を配置する凹部３ｎ2を形成する。また、凹部３ｎ2を形作るフランジ部３ａには、図４に示すように、凹部３ｎ2を外界に通じさせる開口部Ａ2が形成されている。
【００２０】
一方、第２容器本体用部材４も、図５に示すように、その外縁部が第１容器本体用部材３のフランジ部３ａと向かい合わせになるフランジ部４ａとして形作られている。フランジ部４ａで取り囲まれた内側にも、同図に示すように、第１容器本体用部材３との合せ側に開口して防虫剤シートＳ1を配置する凹部４ｎ1が形成されている。これにより、第１容器本体用部材３と向かい合わせると、図２に示すように、その相互間に、防虫剤シートＳ1の収納空間Ｒ1を形成する。
【００２１】
また、凹部４ｎ1を形作る膨出壁４ｓにも、図５に示すように、凹部４ｎ1を外界に通じさせるための複数の開口部Ａ1が形成されている。これにより、図２に示すように、容器本体２の収納空間Ｒ1に配置された防虫剤シートＳ1の有効成分は、第１容器本体用部材３及び第２容器本体用部材４それぞれの開口部Ａ1から外界に揮散させることができる。
【００２２】
更に、フランジ部４ａにも、図５に示すように、開口部Ａ1を取り囲むように、複数の貫通孔４ｂ及び切欠き部４ｃが形成されていると共に、膨出壁４ｓにも、複数の突起部４ｄが一体に設けられている。突起部４ｄはそれぞれ、図２に示すように、第１容器本体用部材３と第２容器本体用部材４とを合せることで、第１容器本体用部材３に設けた突起部３ｄと共に、収納空間Ｒ1に配置された防虫剤シートＳ1を挟み込んで固定保持する。これにより、突起部３ｄ，４ｄは、図２に示すように、防虫剤シートＳ1の表面との接触面積を抑えつつ、防虫剤シートＳ1を固定保持することができる保持突起として機能する。
【００２３】
なお、突起部３ｄ，４ｄはそれぞれ、図２等に示すように、先細りした形状をなしている。これにより、防虫剤シートＳ1との接触面積を更に抑えつつ、防虫剤シートＳ1を固定保持することができる。
【００２４】
更に、フランジ部４ａも、第１容器本体用部材３と同様、図５中に符号Ｘで示すように、収納部９を形成するための拡大領域部Ｘを有する。この領域部Ｘにも、第１容器本体用部材３との合せ側に、枠部３ｅを内側に嵌合させる枠部４ｅが一体に設けられている。枠部４ｅの内側も、第１容器本体用部材３との合せ側に開口してインジケータシートＳ2を配置する凹部４ｎ2を形成する。これにより、第１容器本体用部材３と向かい合わせて枠部３ｅを内側に嵌合させると、図２に示すように、インジケータ収納部９を形作り、その相互間に、インジケータシートＳ2の収納空間Ｒ2を形成する。
【００２５】
また、凹部４ｎ2を形作るフランジ部４ａにも、図５に示すように、凹部３ｎ2を外界に通じさせる開口部Ａ2が形成されている。これにより、インジケータ収納部９内に配置されたインジケータシートＳ2は、外界から開口部Ａ2を通して視認することができる。
【００２６】
一方、図１の符号５は、カバーである。カバー５も、図１に示すように、その外観形状が横長の矩形であって、第１のカバー用部材（以下、「第１カバー用部材」）６と第２のカバー用部材（以下、「第２カバー用部材」）７とを向かい合せに合せることで形成される。
【００２７】
詳細には、第１カバー用部材６は、図６に示すように、第２カバー用部材部材７との合せ側に開口して容器本体２を配置する凹部６ｎが形成されている。また、凹部６ｎを形作る側壁６ｓには、同図に示すように、凹部６ｎを外界に通じさせるための開口部Ａ3が形成されている。開口部Ａ3には、図２等に示すように、第１容器本体用部材３の膨出壁３ｓが嵌合して複数の開口部Ａ1を外界に通じさせる。
【００２８】
更に、側壁６ｓの内側には、図６に示すように、開口部Ａ3を取り囲むように、複数のボス穴６ａが設けられている。ボス穴６ａは、側壁６ｓの内側に一体に設けられた筒状部６ｂの内側に形成されている。これにより、第１容器本体用部材３は、図３等に示すように、その貫通孔３ｂ及び切欠部３ｃそれぞれを筒状部６ｂに合せることで、凹部６ｎに位置決めすることができる。なお、同図中、符号６ｅは、凹部６ｎの輪郭を形作る合せ端面である。
【００２９】
また、第１カバー用部材６には、図６に示すように、フック８が一体に設けられている。フック８は、第１カバー用部材６の上端に連結されるフック本体８ａと、このフック本体８ａの輪郭に沿って形成された補強リブ８ｂからなる。フック本体８ａには、同図に示すように、ハンガーパイプ等に引っ掛けるための開口側と反対側の背側部分に、インジケータ収納部９を配置するための切り欠き部８ｃが形成されている。
【００３０】
一方、第２カバー用部材７にも、図６に示すように、第１カバー用部材６との合せ側に開口して容器本体２を配置する凹部７ｎが形成されている。また、凹部７ｎを形作る側壁７ｓにも、凹部７ｎを外界に通じさせるための開口部Ａ3が形成されている。開口部Ａ3には、図１等に示すように、第１カバー用部材４の膨出壁４ｓが嵌合して複数の開口部Ａ1を外界に通じさせる。
【００３１】
更に、側壁７ｓの内側には、図６に示すように、開口部Ａ3を取り囲むように、複数のピン７ａが設けられている。ピン７ａは、ボス穴６ａと嵌合する。これにより、ピン７ａがボス穴６ａと嵌合することで、第１カバー用部材６と第２カバー用部材７を向かい合せに合せた状態に固定することができる。
【００３２】
なお、同図中、符号７ｅは、凹部７ｎの輪郭を形作る合せ端面である。また、第２カバー用部材７は、第１カバー用部材６に設けられた案内壁６ｈに合せて嵌め込むことで、第１カバー用部材６の合せ端面６ｅと第２カバー用部材７の合せ端面７ｅとを一致させる。
【００３３】
更に、第２容器本体用部材４も、図３等に示すように、その貫通孔４ｂ及び切欠部４ｃそれぞれをピン７ａに合せることで、凹部７ｎに位置決めすることができる。これにより、図２に示すように、第１カバー用部材６及び第２カバー用部材７を向かい合せに合せると、その相互間に、容器本体２を形成すると共に、この容器本体２の収納空間Ｒ3を形成するカバー５が形成される。
【００３４】
本形態では、図６等に示すように、第１カバー用部材６と第２カバー用部材７とがヒンジ１０を介して一体に連結されている。
【００３５】
本形態では、第１カバー用部材６と第２カバー用部材７にそれぞれ、第１容器本体用部材３及び第２容器本体用部材４を、図３，４に示すように組み付ける。次いで、防虫剤シートＳ1及びインジケータシートＳ2をそれぞれ、図３に示すように、第１容器本体用部材３の凹部３ｎ1,３ｎ2に配置する。そして、第２カバー用部材７を閉じて第１カバー用部材６に合せれば、ピン７ａがボス穴６ａに嵌合することにより、図１に示すように、容器本体２と共にカバー５が形成される。
【００３６】
このように、本発明は、防虫剤シートＳ1を収納する容器本体２と、この容器本体２を収納するカバー５とに分け、このカバー５にフック８を一体に設けたことで、容器本体２及びカバー５に対して機能に合せた材料を選択することできる。
【００３７】
即ち、容器本体２及びカバー５をそれぞれ、異材質で構成すれば、上述のように、容器本体２及びカバー５にそれぞれ、材質に応じた異なる機能を与えることができる。
【００３８】
例えば、防虫剤が常温揮散性ピレスロイドを含有するものである場合、容器本体２をポリプロピレン樹脂（以下、「ＰＰ樹脂」）やポリエチレン樹脂（以下、「ＰＥ樹脂」）で構成すると、その有効成分が容器本体２に吸収されてしまうため、防虫効果を長期に渡って持続させることができない。
【００３９】
そこで、防虫剤シートＳ1が配置される容器本体２を、常温揮散性ピレスロイドを吸収し難いポリエチレンテレフタレート樹脂（以下、「ＰＥＴ樹脂」）等のポリエステル系樹脂で構成すれば、防虫剤シートＳ1の有効成分が減少し難く、防虫効果を長期に渡って持続させることができる。
【００４０】
また、本形態では、インジケータ収納部９がカバー５の上側にフック８に隣接するように設けられているため、防虫効果が失われるタイミングを視認することができる。インジケータシートＳ2には、防虫剤シートＳ1と同様の有効成分（常温揮散性ピレスロイド）を含ませることで、常温揮散性ピレスロイドの揮散に従って、色彩を異ならせたり、「おしまい」等の文字を浮き出させて、防虫効果が失われていることを表示するように構成されているが、容器本体２をＰＥＴ樹脂で構成すれば、その有効成分が容器本体２に吸着されることなく、実際の防虫効果が失われるタイミングと、それを警告表示するタイミングにずれを生じ難く、適正なタイミングでの警告表示に有効である。
【００４１】
一方、カバー５をポリエステル系樹脂で構成すると、ＰＥＴ樹脂等の硬度の高い材料を選択することになるので、フック８をハンガーパイプ等に引っ掛け難く、使い勝手がよくない。そこで、カバー５を、比較的柔軟な材料であるポリプロピレン樹脂（以下、「ＰＰ樹脂」）やポリエチレン樹脂（以下、「ＰＥ樹脂」）等のポリオレフィン系樹脂で構成すれば、フック８をハンガーパイプ等に引っ掛け易く、使い勝手がよい。
【００４２】
また、カバー５は、第１カバー用部材６と第２カバー用部材７がヒンジ１０を介して一体に連結されているが、ヒンジのような可動部分についても柔軟性が求められる。このため、カバー５を、上述のように、ＰＥ樹脂やＰＰ樹脂のような柔軟性のある材料で構成すれば、その可動動作が円滑になり、良好な組み付け作業を実現できる。
【００４３】
従って、本発明によれば、防虫剤シートＳ1及びインジケータシートＳ2からの成分揮散に対する性能と、成分揮散に対する性能以外で求められる、吊り下げや組み付け作業性等に対する性能との両立が図られた、新規な吊り下げ式防虫剤用容器を提供することができる。
【００４４】
また、本発明に従えば、第２の形態として、容器本体２は、シート状素材で形作られた中間体を重ね合わせて形成することもできる。具体例としては、シート状の成形物をバキューム成形方法によって成形し、これを中間体として折り重ねることで、容器本体２を構成する。バキューム成形としては、例えば、金型内に配置したシート状の材料を負圧（真空）により成形する既存の成形方法を採用することができる。
【００４５】
本形態は、バキューム成形方法により一体に形成した第１容器本体用部材３及び第２容器本体用部材４を用い、互いに別体で構成した第１カバー用部材６及び第２カバー用部材７にそれぞれ、一体的に組付けたものである。
【００４６】
本形態では、図９に示すように、第１カバー用部材６及び第２カバー用部材７は、その上部にそれぞれ、拡大領域部Ｙを有する。拡大領域部Ｙは、収納部９を構成し、同図に示すように、第１カバー用部材６の合せ端面６ｅ又は第２カバー用部材７の合せ端面７ｅと同一平面をなしている。また、拡大領域部Ｙは、フック８の補強リブ８ｂの半分の厚みを有し、インジケータシートＳ2を配置するための凹部６ｎ又は７ｎが形成されている。また、凹部６ｎ，７ｎにはそれぞれ、開口部Ａ4が形成されている。
【００４７】
第１容器本体用部材３及び第２容器本体用部材４は、図８に示すように、第１カバー用部材６及び第２カバー用部材７の内面に、組付けられている。また、容器本体用部材３，４は、図１０に示すように、２つのヒンジ１１によって一体に連結されている。ヒンジ１１はそれぞれ、合せ端面６ｅ又は合せ端面７ｅに形成された凹部６ｃ又は７ｃを介して容器本体用部材３，４に掛け渡されている。
【００４８】
本形態では先ず、２つの第１カバー用部材６と第２カバー用部材７にそれぞれ、図８に示すように、バキューム成形方法により一体に形成した第１容器本体用部材３及び第２容器本体用部材４を組付ける。バキューム成形に用いるシート状素材は、揮散剤に含有する成分に応じて、適宜、積層シートを使用することができる。積層シートは、揮散成分の特性（例えば、透過バリア性や遮光性など）に応じて適宜選択することができる。
【００４９】
第１容器本体用部材３及び第２容器本体用部材４は、第１カバー用部材６及び第２カバー用部材７内に、図１０に示すようなヒンジ１１で連結されたものである。なお、突起部３ｄ，４ｄは、例えば、バキューム成形にて、図８に示すような偏平な形状に形成する。
【００５０】
カバー用部材６及び７に、容器本体用部材３及び４を組付けた後は、第１の形態と同様、図８に示すように、防虫剤シートＳ1及びインジケータシートＳ2をそれぞれ、第１容器本体用部材３の凹部３ｎ1,３ｎ2に配置する。そして、第２カバー用部材７を閉じて第１カバー用部材６に合せれば、ピン７ａがボス穴６ａに嵌合することにより、図７に示すように、容器本体２と共にカバー５が形成される。
【００５１】
なお、揮散剤としては、防虫剤以外にも、芳香剤、消臭剤や防黴剤などを採用することができるが、上述したところからも明らかなように、本発明は、揮散剤が防虫剤であるときに特に有効である。また、本形態の如く、インジケータ収納部９をフック８に隣接するカバー５の上側位置に配置すれば、箪笥に収納したときも、衣服で見えなくなることなく、インジケータシートＳ2の表示を視認できる。
【００５２】
上述したところは、本発明の一形態を示したにすぎず、特許請求の範囲において、種々の変更を加えることができる。例えば、インジケータシートＳ2は、防虫剤シートＳ1のように、収納空間Ｒ2内に固定保持することができる。或いは、防虫剤シートＳ1は、インジケータシートＳ2のように、収納空間Ｒ1内に固定保持されることなく配置できる。また、インジケータ収納部９のレイアウトも、カバー５の合せ面に沿った輪郭位置であれば適宜、変更することができる。更に、各形態それぞれの構成中に採用される各要素は、適宜、転用等を行うことができる。
【産業上の利用可能性】
【００５３】
本発明は、防虫剤等の揮散剤をフックによって吊り下げ保持する吊り下げ式揮散剤用容器であれば、様々なものに採用することができる。
【符号の説明】
【００５４】
１    吊り下げ式防虫剤用容器
２    容器本体
３    第１容器本体用部材（第１の容器本体用部材）
３ａ  フランジ部
３ａ1 上側フランジ部
３ａ2 下側フランジ部
３ｎ1 防虫剤シート配置用の凹部
３ｎ2 インジケータシート配置用の凹部
４    第２容器本体用部材（第２の容器本体用部材）
４ａ  フランジ部
４ｎ1 防虫剤シート配置用の凹部
４ｎ2 インジケータシート配置用の凹部
５    カバー
６    第１容器本体用部材（第１の容器本体用部材）
７    第２容器本体用部材（第２の容器本体用部材）
８    フック
９    インジケータ収納部
１０  ヒンジ（容器本体）
１１  ヒンジ（カバー）
Ｓ1   防虫剤シート
Ｓ2   インジケータシート
【図１】
0005602654.tif 000002
【図２】
0005602654.tif 000003
【図３】
0005602654.tif 000004
【図４】
0005602654.tif 000005
【図５】
0005602654.tif 000006
【図６】
0005602654.tif 000007
【図７】
0005602654.tif 000008
【図８】
0005602654.tif 000009
【図９】
0005602654.tif 000010
【図１０】
0005602654.tif 000011